(57)【特許請求の範囲】
【請求項１】
湯水を貯湯する貯湯タンクと、この貯湯タンクの湯水を沸き上げ目標温度に沸き上げる加熱手段と、前記貯湯タンク内の湯水によって浴槽水を加熱するふろ熱交換器と、このふろ熱交換器と浴槽を浴槽水を循環可能に接続するふろ循環回路と、
浴槽水を前記ふろ熱交換器に循環させて浴槽水をふろ設定温度に加熱するふろ加熱動作の実績を所定の保持期間記憶するふろ加熱実績記憶手段と、
前記沸き上げ目標温度を低めにする少なめモードと前記沸き上げ目標温度を前記少なめモード時よりも高めにする多めモードのいずれかを設定する沸き上げモード設定手段と、
前記沸き上げモード設定手段の設定内容と給湯負荷とに応じて基礎沸き上げ目標温度を決定すると共に、前記ふろ加熱実績記憶手段の記憶内容に応じて前記沸き上げ目標温度を前記基礎沸き上げ目標温度よりも高い規定温度にする沸き上げ温度決定手段とを備え、
前記ふろ加熱実績記憶手段は、前記所定の保持期間の長さを前記沸き上げモード設定手段の設定内容に応じて変更するようにしたことを特徴とする貯湯式風呂給湯装置。
【請求項２】
湯水を貯湯する貯湯タンクと、この貯湯タンクの湯水を沸き上げ目標温度に沸き上げる加熱手段と、前記貯湯タンク内の湯水によって浴槽水を加熱するふろ熱交換器と、このふろ熱交換器と浴槽を浴槽水を循環可能に接続するふろ循環回路と、
浴槽水を前記ふろ熱交換器に循環させて浴槽水をふろ設定温度に加熱するふろ加熱動作の実績ありを所定期間記憶すると共に、１回の前記ふろ加熱動作における必要熱量が所定熱量以上の大負荷であったことを所定の保持期間記憶するふろ加熱実績記憶手段と、
前記沸き上げ目標温度を低めにする少なめモードと前記沸き上げ目標温度を前記少なめモード時よりも高めにする多めモードのいずれかを設定する沸き上げモード設定手段と、
前記沸き上げモード設定手段の設定内容と給湯負荷とに応じて基礎沸き上げ目標温度を決定すると共に、前記ふろ加熱実績記憶手段の前記ふろ加熱動作の実績ありの記憶に応じて前記沸き上げ目標温度を前記基礎沸き上げ目標温度より高い第１規定温度にし、前記ふろ加熱実績記憶手段の前記ふろ加熱動作が大負荷であった記憶に応じて前記沸き上げ目標温度を前記第１規定温度より高い第２規定温度にする沸き上げ温度決定手段とを備え、
前記ふろ加熱実績記憶手段は、前記所定の保持期間の長さを前記沸き上げモード設定手段の設定内容に応じて変更するようにしたことを特徴とする貯湯式風呂給湯装置。
【請求項３】
前記少なめモード時の前記所定の保持期間を前記多めモード時の前記所定の保持期間よりも短期間としたことを特徴とする請求項１または２記載の貯湯式風呂給湯装置。
【発明の詳細な説明】
【技術分野】
【０００１】
本発明は、貯湯タンク内の湯水によって浴槽水を加熱可能とした貯湯式風呂給湯装置に関するものである。
【背景技術】
【０００２】
従来より、この種の貯湯式風呂給湯装置においては、湯水を貯湯する貯湯タンクと、この貯湯タンク下部からの湯水を貯湯タンク上部に戻す加熱循環回路と、この加熱循環回路を循環する湯水を沸き上げ目標温度に沸き上げるヒートポンプ式加熱装置と、貯湯タンク内の湯水によって浴槽水を加熱するふろ熱交換器と、このふろ熱交換器と浴槽を浴槽水を循環可能に接続するふろ循環回路と、浴槽水をふろ熱交換器に循環させて浴槽水をふろ設定温度に加熱するふろ加熱動作を実行させる制御手段とを備え、ふろ加熱動作に要した熱量と、給湯に要した熱量を計測し、総消費熱量から沸き上げ目標温度を決定するものがあった（特許文献１）。
【０００３】
また、ふろ加熱動作に掛かった時間を積算し、積算時間が所定時間を超えたら、沸き上げ目標温度を高くするようにしたものもあった（特許文献２）。
【０００４】
また、ふろ熱交換器の浴槽水出入口の温度差からふろ加熱能力を求め、このふろ加熱能力が必要能力に達していない場合に、沸き上げ目標温度を高くするようにしたものがあった（特許文献３）。
【先行技術文献】
【特許文献】
【０００５】
【特許文献１】特開２００４−２２６０１０号公報
【特許文献２】特開２００９−２８１６５８号公報
【特許文献３】特開２００７−１２７３５６号公報
【発明の概要】
【発明が解決しようとする課題】
【０００６】
ところが、これらのものでは、冷めた浴槽水を沸かし直す動作を行わせた場合に、沸き上げ目標温度が高くなるが、高い沸き上げ目標温度の状態が長期間継続してしまい、浴槽水の沸かし直しをほとんど行わないユーザーにおいては、湯余りが生じてエネルギー効率が悪いものであった。しかし一方で、高い沸き上げ目標温度の状態が継続する期間を単に短くすると、浴槽水の沸かし直しを頻繁に行うユーザーにおいては、沸き上げ目標温度がすぐに低下してしまって浴槽水の沸かし直しができないまたは時間が掛かりすぎる場合が生じ、使用感の悪化を招くものであった。
【課題を解決するための手段】
【０００７】
本発明は上記課題を解決するため、請求項１では、湯水を貯湯する貯湯タンクと、この貯湯タンクの湯水を沸き上げ目標温度に沸き上げる加熱手段と、前記貯湯タンク内の湯水によって浴槽水を加熱するふろ熱交換器と、このふろ熱交換器と浴槽を浴槽水を循環可能に接続するふろ循環回路と、浴槽水を前記ふろ熱交換器に循環させて浴槽水をふろ設定温度に加熱するふろ加熱動作の実績を所定の保持期間記憶するふろ加熱実績記憶手段と、前記沸き上げ目標温度を低めにする少なめモードと前記沸き上げ目標温度を前記少なめモード時よりも高めにする多めモードのいずれかを設定する沸き上げモード設定手段と、前記沸き上げモード設定手段の設定内容と給湯負荷とに応じて基礎沸き上げ目標温度を決定すると共に、前記ふろ加熱実績記憶手段の記憶内容に応じて前記沸き上げ目標温度を前記基礎沸き上げ目標温度よりも高い規定温度にする沸き上げ温度決定手段とを備え、ろ加熱実績記憶手段は、前記所定の保持期間の長さを前記沸き上げモード設定手段の設定内容に応じて変更するようにした。
【０００８】
また、請求項２では、湯水を貯湯する貯湯タンクと、この貯湯タンクの湯水を沸き上げ目標温度に沸き上げる加熱手段と、前記貯湯タンク内の湯水によって浴槽水を加熱するふろ熱交換器と、このふろ熱交換器と浴槽を浴槽水を循環可能に接続するふろ循環回路と、浴槽水を前記ふろ熱交換器に循環させて浴槽水をふろ設定温度に加熱するふろ加熱動作の実績ありを所定期間記憶すると共に、１回の前記ふろ加熱動作における必要熱量が所定熱量以上の大負荷であったことを所定の保持期間記憶するふろ加熱実績記憶手段と、前記沸き上げ目標温度を低めにする少なめモードと前記沸き上げ目標温度を前記少なめモード時よりも高めにする多めモードのいずれかを設定する沸き上げモード設定手段と、前記沸き上げモード設定手段の設定内容と給湯負荷とに応じて基礎沸き上げ目標温度を決定すると共に、前記ふろ加熱実績記憶手段の前記ふろ加熱動作の実績ありの記憶に応じて前記沸き上げ目標温度を前記基礎沸き上げ目標温度より高い第１規定温度にし、前記ふろ加熱実績記憶手段の前記ふろ加熱動作が大負荷であった記憶に応じて前記沸き上げ目標温度を前記第１規定温度より高い第２規定温度にする沸き上げ温度決定手段とを備え、前記ふろ加熱実績記憶手段は、前記所定の保持期間の長さを前記沸き上げモード設定手段の設定内容に応じて変更するようにした。
【０００９】
また、請求項３では、請求項１または２のものにおいて、前記少なめモード時の前記所定の保持期間を前記多めモード時の前記所定の保持期間よりも短期間とした。
【発明の効果】
【００１０】
本発明によれば、沸き上げモードに応じて沸き上げ目標温度を高くする所定の保持期間を変更し、沸き上げモードが多めモードの時には、沸き上げ目標温度を高くする所定の保持期間を少なめモード時よりも長期間としているので、大きな加熱能力でふろ加熱動作を行え短時間にふろ加熱動作を完了させることができる状態が長く継続して、使用感を向上させることができ、一方、沸き上げモードが少なめモードの時には、沸き上げ目標温度を高くする所定の保持期間を多めモード時よりも短期間としているので、沸き上げ目標温度が短期間で低下して、湯余りの発生を抑制してエネルギー効率を向上させることができる。
【００１１】
また、冷めた浴槽水の沸かし直し等の短時間に大きな加熱能力が求められる大負荷のふろ加熱動作が行われた場合は、貯湯タンクに沸き上げる湯の沸き上げ目標温度をさらに高い第２規定温度にするようにしていると共に、沸き上げモードが多めモードの時には、第２規定温度を維持する所定の保持期間を少なめモード時よりも長期間としているので、大きな加熱能力でふろ加熱動作を行え短時間に大負荷のふろ加熱動作を完了させることができる状態が長く継続して、使用感を向上させることができ、一方、沸き上げモードが少なめモードの時には、沸き上げ目標温度を第２規定温度を維持する所定の保持期間を多めモード時よりも短期間としているので、大負荷のふろ加熱動作を頻繁に行わなければ沸き上げ目標温度が短期間で低下して、湯余りの発生を抑制してエネルギー効率を向上させることができる。
【図面の簡単な説明】
【００１２】
【図１】本発明の実施形態の貯湯式風呂給湯装置の概略構成図
【図２】第１実施形態のふろ加熱実績記憶手段の作動を説明するフローチャート
【図３】第１実施形態の沸き上げ動作を説明するフローチャート
【図４】第２実施形態のふろ加熱実績記憶手段の作動を説明するフローチャート
【図５】第２実施形態の沸き上げ動作を説明するフローチャート
【発明を実施するための形態】
【００１３】
次に、本発明の第１実施形態の貯湯式風呂給湯装置を図面に基づいて説明する。
１は湯水を貯湯する貯湯タンク、２は貯湯タンク１に給水する給水管、３は給水管２に設けられ給水圧を減圧する減圧弁、４は貯湯タンク１上部から出湯する出湯管、５は出湯管４に設けられ過圧を逃がす過圧逃がし弁、６は減圧弁３の下流側の給水管２から分岐した給水バイパス管、７は出湯管４からの湯水と給水バイパス管６からの水とを混合する給湯混合弁、８は給湯混合弁７からの湯水を給湯する給湯管、９は給湯管８に設けられた給湯温度センサ、１０は給湯管８を流れる流量を検出する給湯流量センサ、１１は給水温度を検出する給水温度センサ、１２は給湯栓である。
【００１４】
１３は浴槽、１４は貯湯タンク１内の上部に設けたふろ熱交換器、１５は浴槽１３とふろ熱交換器１４とを浴槽水が循環可能に接続しているふろ循環回路、１６はふろ循環回路１５途中に設けられたふろ循環ポンプ、１７は浴槽１３からふろ熱交換器１４へ戻る浴槽水の温度を検出するふろ戻り温度センサ、１８はふろ熱交換器１４から浴槽１３へ往く浴槽水の温度を検出するふろ往き温度センサ、１９は浴槽１３内の水位を圧力により検出する水位センサ、２０は給湯管８から分岐されてふろ循環回路１５へ接続された湯張り管、２１は湯張り管２０の開閉を行う湯張り電磁弁である。
【００１５】
２２は貯湯タンク１の側面上下に複数設けられ各部の貯湯温度を検出する貯湯温度センサであり、貯湯タンク１上部の貯湯温度を検出する貯湯温度センサ２２ａ、ふろ熱交換器１４付近の貯湯温度を検出する貯湯温度センサ２２ｂ、ふろ熱交換器１４下部の貯湯温度を検出する２２ｃ、貯湯タンク１中間部の貯湯温度を検出する２２ｄ、貯湯タンク１下部の貯湯温度を検出する２２ｅから構成されている。
【００１６】
２３は冷媒を圧縮する圧縮機、２４は冷媒と湯水を熱交換する給湯熱交換器、２５は冷媒を減圧膨張する膨張弁、２６は低温冷媒を蒸発させる蒸発器としての空気熱交換器、２７は空気熱交換器２６に外気を送風する送風ファンであり、これら圧縮機２３、給湯熱交換器２４、減圧手段２５、空気熱交換器２６を冷媒配管２８で環状に接続し、貯湯タンク１内の湯水を沸き上げ目標温度に沸き上げる加熱手段としてのヒートポンプ式加熱装置２９を構成している。
【００１７】
３０は貯湯タンク１の下部と給湯熱交換器２４の入口とを接続し、給湯熱交換器２４の出口と貯湯タンク１の上部とを接続する加熱循環回路、３１は給湯熱交換器２４入口側の加熱循環回路３０に設けられ貯湯タンク１下部から取り出した湯水を給湯熱交換器２４を介して貯湯タンク１上部に循環させる加熱循環ポンプ、３２は給湯熱交換器２４に流入する湯水の温度を検出する入水温度センサ、３３は給湯熱交換器２４から流出する湯水の温度を検出する沸き上げ温度センサ、３４は外気温度を検出する外気温センサである。
【００１８】
３５は給湯温度や各種必要な設定を行うためのリモートコントローラで、給湯設定温度や風呂設定温度を表示する表示部３６と、給湯設定温度およびふろ設定温度を設定する温度設定スイッチ３７と、浴槽１３への所定湯量の湯張りに続いて所定の保温時間だけ保温運転を行わせるフロスイッチ３８と、浴槽水を加熱する追焚き動作を行わせる追焚きスイッチ３９と、省エネ性を重視して沸き上げ目標温度を低めに設定する少なめモードと使用感を重視して沸き上げ目標温度を少なめモードより高めに設定する多めモードのいずれかを選択する沸き上げモード設定手段としての沸き上げモード設定スイッチ４０とを備えている。
【００１９】
４１はこの貯湯式風呂給湯装置の作動を制御する制御手段で、予め作動を制御するためのプログラムが記憶されていると共に、演算、比較、記憶機能、カウント機能を有し、給湯温度センサ９、給湯流量センサ１０、給水温度センサ１１、ふろ戻り温度センサ１７、ふろ往き温度センサ１８、水位センサ１９、貯湯温度センサ２２ａ〜ｅ、入水温度センサ３２、沸き上げ温度センサ３３、外気温センサ３４にて検出される値が入力され、給湯混合弁７、ふろ循環ポンプ１６、湯張り電磁弁２１、圧縮機２３、膨張弁２５、送風ファン２７、加熱循環ポンプ３１の駆動を制御し、沸き上げ動作、給湯動作やふろ加熱動作等を制御するもので、リモートコントローラ３５と通信可能に接続されているものである。
【００２０】
この制御手段４１には、浴槽水をふろ熱交換器１４に循環させて浴槽水をふろ設定温度に加熱するふろ加熱動作の運転実績の有無を所定の保持期間記憶する実績記憶部４２を有したふろ加熱実績記憶手段４３が設けられ、さらに、ヒートポンプ式加熱装置２９で沸き上げて貯湯タンク１に貯湯する湯の目標温度である沸き上げ目標温度を、外気温センサ３４で検出した外気温度と、沸き上げモード設定スイッチ４０で設定された沸き上げモードと、実績記憶部４２の記憶内容とに応じて決定する沸き上げ温度決定手段４４が設けられている。
【００２１】
そして、実績記憶部４２は、ふろ加熱動作が行われた場合、ふろ加熱動作の実績がある旨を所定の保持期間にわたり記憶し、所定の保持期間連続でふろ加熱動作が行われなかった場合に、ふろ加熱動作の実績の記憶をクリアするようにしている。
【００２２】
実績記憶部４２がふろ加熱実績を記憶する所定の保持時間は、沸き上げモードに応じて決定されるようにしており、ここでは、沸き上げモードが少なめモードの時は、所定の保持期間を例えば３日間とし、沸き上げモードが多めモードの時は、所定の保持期間を少なめモードの時よりも長い例えば７日間としている。
【００２３】
沸き上げ温度決定手段４４は、実績記憶部４２が実績ありを記憶していない場合は、給湯負荷に応じた基礎沸き上げ目標温度を沸き上げ目標温度として決定し、実績記憶部４２が実績ありを記憶している場合は、給湯負荷を加味して上で基礎沸き上げ目標温度より高い規定温度を沸き上げ目標温度として決定するもので、外気温度とふろ加熱実績の有無とに応じた沸き上げ目標温度の関係をテーブルデータとして予め記憶しており、ふろ加熱実績がない場合には、給湯負荷に応じた、ここでは外気温度に応じた基礎沸き上げ目標温度を、ふろ加熱実績ありの場合には、さきの基礎沸き上げ目標温度より高く、かつ給湯負荷に応じた、ここでは外気温度に応じた所定の規定温度を沸き上げ目標温度とするようにしている。
【００２４】
次に、給湯栓１２が開かれ、給湯流量センサ１０が給湯開始と見なせる量以上の流量を検出すると、制御手段４１は給湯温度センサ９で検出する給湯温度がリモートコントローラ３５で設定した給湯設定温度となるように給湯混合弁９の開度を調節し、出湯管４からの湯と給水バイパス管６からの水とを混合して給湯設定温度の湯を給湯する。
【００２５】
また、リモートコントローラ３５のフロスイッチ３８がオンされた場合について説明すると、制御手段４１は湯張り電磁弁２１を開き、給湯温度センサ９で検出する給湯温度がリモートコントローラ３５で設定したふろ設定温度となるように給湯混合弁７の開度を調節してふろ設定温度の湯を湯張りし、給湯流量センサ１０が検出する湯張り電磁弁２１を開いてからの流量積算値が予めリモートコントローラ３５等で設定した湯張り湯量に達すると湯張り電磁弁２１を閉じる。
【００２６】
そして、湯張り運転を完了すると制御手段４１は所定の保温時間（例えば２時間）の保温運転を行う。この保温運転では、定期的にふろ循環ポンプ１６を駆動して浴槽水温度をチェックし、ふろ設定温度未満であればふろ加熱要求ありとしてふろ設定温度まで加熱するようにしている。なお、湯張り運転の完了から所定の保温時間が経過すると、浴槽水の保温運転を行わないようにしている。
【００２７】
また、リモートコントローラ３５の追焚きスイッチ３９がオンされると、制御手段４１は、ふろ加熱要求ありとしてふろ設定温度まで加熱する追焚き運転を行うようにしており、保温運転あるいは追焚き運転によってふろ加熱要求が発生すると、ふろ循環ポンプ１６を駆動開始し、浴槽水をふろ熱交換器１４に循環させて、貯湯タンク１内の貯湯熱によって浴槽水を加熱するふろ加熱動作を開始すると共に、実績記憶部４２はふろ加熱実績ありを記憶し、そして、ふろ戻り温度センサ１７がふろ設定温度以上を検出すると、ふろ循環ポンプ１６を駆動停止してふろ加熱動作を終了する。
【００２８】
ここで、ふろ加熱動作が終了する前に、貯湯温度センサ２２で検出する貯湯熱量が担保熱量未満まで減少すると、ここでは貯湯温度センサ２２ｃが担保温度（ここでは５０℃）未満を検出すると、貯湯熱量が担保熱量未満まで減少したと見なして、ヒートポンプ式加熱装置２９を駆動開始しして所定熱量または所定時間の沸き上げを行う沸き増し運転を行う。なお、この沸き増し運転は、ふろ加熱動作の開始や停止に関係なく、貯湯熱量が担保熱量未満を検出した時点で開始されるようにしているものである。
【００２９】
次に、ふろ加熱実績記憶手段４３の作動について、図２に示すフローチャートに基づいて説明する。
ふろ加熱実績記憶手段４３はふろ加熱要求の発生を常に監視しており、ふろ加熱要求が発生すると（ステップＳ１でＹｅｓ）、実績記憶部４２にふろ加熱実績ありの旨を記憶させる（ステップＳ２）。
【００３０】
そして、ふろ加熱実績記憶手段４３は、沸き上げモード設定スイッチ４０で設定されている沸き上げモードが少なめモードであると（ステップＳ３で少なめ）、ふろ加熱実績ありの記憶を継続する所定の保持期間を３日間に設定し（ステップＳ４）、一方、沸き上げモードが多めモードであると（ステップＳ３で多め）、ふろ加熱実績ありの記憶を継続する所定の保持期間を７日間に設定し（ステップＳ５）、保持期間のカウントをカウントする。
【００３１】
次に、ふろ加熱実績記憶手段４３は、保持期間のカウントがステップＳ４またはステップＳ５で設定した期間を経過したかどうかを判別し（ステップＳ６）、保持期間が経過していなければ（ステップＳ６でＮｏ）、ステップＳ１へ戻り、再度ふろ加熱要求の発生を監視する。
【００３２】
ふろ加熱要求がなければ（ステップＳ１でＮｏ）、ステップＳ７へ進み、実績記憶部４２でふろ加熱実績ありの記憶があるか否かを判別し、ここでは、ふろ加熱実績ありなのでステップＳ７でＹｅｓとなって、ステップＳ６へ進んで保持期間の経過を判別する。
【００３３】
保持期間が経過する前に再度ふろ加熱要求が発生すると（ステップＳ１でＹｅｓ）、ふろ加熱実績記憶手段４３は、実績記憶部４２にふろ加熱実績ありの旨を改めて記憶させ（ステップＳ２）、沸き上げモードに応じた所定の保持期間を設定し直す（ステップＳ３からステップＳ４またはステップＳ５）。
【００３４】
そして、ふろ加熱要求が発生しないまま所定の保持期間が経過すると（ステップＳ６でＹｅｓ）、ふろ加熱実績記憶手段４３は、実績記憶部４２の記憶内容をクリアし（ステップＳ８）、再度ステップＳ１へ戻り、ふろ加熱要求の発生を監視するようにしている。
【００３５】
次に、電力料金単価の安価な深夜の沸き上げ動作について、図３のフローチャートに基づいて説明する。ここでは、一例として２３時から翌朝７時までの深夜時間帯がそれ以外の昼間時間帯よりも電力料金単価が安価な料金制度に基づいて説明するが、これに限られず、例えば２２時から翌朝８時までを安価な深夜時間帯とする料金制度でもよいものである。
【００３６】
現在時刻が２３時になると（ステップＳ１１でＹｅｓ）、ステップＳ１２へ進み、沸き上げ温度決定手段４４は沸き上げ目標温度を決定する。このステップＳ１２では、沸き上げ温度決定手段４４は、外気温センサ３４で検出した外気温度の平均値と、実績記憶部４２の記憶内容ととからテーブルデータに基づき沸き上げ目標温度を決定する。
【００３７】
ここでは、沸き上げ温度決定手段４４は、実績記憶部４２にふろ加熱実績ありが記憶されていない場合には、外気温度が１５℃未満であると基礎沸き上げ目標温度の７０℃を沸き上げ目標温度とし、外気温度が１５℃以上であると基礎沸き上げ目標温度の６５℃を沸き上げ目標温度とする。
【００３８】
また、実績記憶部４２にふろ加熱実績ありが記憶されている場合には、沸き上げ温度決定手段４４は、外気温度が１５℃未満であると基礎沸き上げ目標温度（７０℃）より高い規定温度の７５℃を沸き上げ目標温度とし、外気温度が１５℃以上であると基礎沸き上げ目標温度（６５℃）より高い規定温度の７０℃を沸き上げ目標温度として決定する。
【００３９】
そして、制御手段４１は、翌日に必要な貯湯熱量を沸き上げるのに必要な時間を算出し、この時間を深夜時間帯の終了時刻である７時から逆算して沸き上げ開始する時刻（ピークシフト時刻）を算出する（ステップＳ１３）。
【００４０】
次に、現在時刻がピークシフト時刻となると（ステップＳ１４でＹｅｓ）、前記ステップＳ１２で決定した沸き上げ目標温度での沸き上げ動作を開始すべく、ヒートポンプ式加熱装置２９を駆動開始する（ステップＳ１５）。
【００４１】
そして、貯湯温度センサ２２ｅまたは入水温度センサ３２がそれぞれ規定の温度以上を検出して貯湯タンク１が満タンになるか（ステップＳ１６でＹｅｓ）、現在時刻が深夜時間帯の終了時刻である７時に到達すると（ステップＳ１７でＹｅｓ）、ヒートポンプ式加熱手段２９を駆動停止して沸き上げ動作を終了する（ステップＳ１８）。
【００４２】
このように、沸き上げモードが多めモードの時には、沸き上げ目標温度を高くする所定の保持期間を少なめモード時よりも長期間としているので、大きな加熱能力でふろ加熱動作を行え短時間にふろ加熱動作を完了させることができる状態が長く継続して、使用感を向上させることができ、一方、沸き上げモードが少なめモードの時には、沸き上げ目標温度を高くする所定の保持期間を多めモード時よりも短期間としているので、沸き上げ目標温度が短期間で低下して、湯余りの発生を抑制してエネルギー効率を向上させることができる。また、沸き上げ目標温度が低下することでヒートポンプ式加熱装置２９での加熱効率が向上し、さらなるエネルギー効率の向上を図ることができる。
【００４３】
また、外気温度が高い場合は、沸き上げ目標温度を低めに決定し、外気温度が低い場合は沸き上げ目標温度を高めに決定するため、給湯負荷が少ない時には放熱ロスを低減すると共に、ヒートポンプ式加熱手段２９での加熱効率を向上させることができ、さらには使用感を損なうことなく湯余りや湯切れの発生を防止することができる。
【００４４】
次に、本発明の第２実施形態を図面に基づいて説明する。なお、第１実施形態と同じ構成には同じ符号を付し、その説明を省略する。
【００４５】
この制御手段４１には、浴槽水をふろ熱交換器１４に循環させて浴槽水をふろ設定温度に加熱するふろ加熱動作の運転実績の有無を所定期間記憶する実績記憶部４２と、１回のふろ加熱動作における必要熱量が所定熱量以上である大負荷であったことを所定の保持期間記憶する大負荷記憶部４５と、を有したふろ加熱実績記憶手段４３が設けられ、さらに、ヒートポンプ式加熱装置２９で沸き上げて貯湯タンク１に貯湯する湯の目標温度である沸き上げ目標温度を、沸き上げモード設定スイッチ４０で設定された沸き上げモードと、実績記憶部４２の記憶内容と、大負荷記憶部４５の記憶内容とに応じて決定する沸き上げ温度決定手段４４が設けられている。
【００４６】
そして、実績記憶部４２は、ふろ加熱動作が行われた場合、ふろ加熱動作の実績がある旨を所定期間にわたり記憶し、所定期間連続でふろ加熱動作が行われなかった場合に、ふろ加熱動作の実績の記憶をクリアするようにしており、また、大負荷記憶部４５は、ふろ加熱動作開始時にふろ戻り温度センサ１７で検出するふろ戻り温度とふろ設定温度との差が所定温度差（ここでは５℃）以上あると、１回のふろ加熱動作における必要熱量が所定熱量以上である大負荷であると判定し、その旨を所定の保持期間にわたり記憶し、所定の保持期間連続で、ふろ加熱動作が行われないか、ふろ加熱動作が行われても大負荷でなかった場合に、大負荷である旨の記憶をクリアするようにしている。
【００４７】
大負荷記憶部４５が大負荷であった旨を記憶する所定の保持時間は、沸き上げモードに応じて決定されるようにしており、ここでは、沸き上げモードが少なめモードの時は、所定の保持期間を例えば当日（大負荷と判定されてから深夜の沸き上げ開始時刻までの期間）のみとし、沸き上げモードが多めモードの時は、所定の保持期間を少なめモードの時よりも長い期間、例えば３日間（大負荷と判定されてから３日目の深夜の沸き上げ開始時刻までの期間）としている。なお、ここでは、実績記憶部４２がふろ加熱実績ありを記憶する所定期間を、沸き上げモードの種類に関わらず所定の保持期間よりも長い一定期間（例えば７日間）に固定している。
【００４８】
また、制御手段４１には、１日の間に貯湯タンク１から給湯された給湯熱量を検出する給湯熱量積算手段４６が設けられており、ここでは、給湯流量センサ１０からの流量と給水温度センサ１１で検出する給水温度と給湯設定温度とから給湯動作毎の給湯熱量を算出、積算して記憶している。
【００４９】
沸き上げ温度決定手段４４は、給湯熱量積算手段４６で積算された１日の給湯熱量と沸き上げモード設定スイッチ４０で設定されている沸き上げモードから基礎沸き上げ目標温度Ｔｓを決定するようにしており、ここでは、沸き上げ温度決定手段４４は、沸き上げモードが少なめモードに設定されている場合は、給湯熱量算出手段４６で積算された１日の給湯熱量に少なめに設定された余裕熱量を加算した値から基礎沸き上げ目標温度Ｔｓを算出し、沸き上げモードが多めモードに設定されている場合は、給湯熱量算出手段４６で積算された１日の給湯熱量に多めに設定された余裕熱量を加算した値から基礎沸き上げ目標温度Ｔｓを算出するようにしている。
【００５０】
また、沸き上げ温度決定手段４４は、実績記憶部４２が実績ありを記憶していない、かつ大負荷記憶部４５が大負荷である旨を記憶していない場合は、給湯負荷に応じた基礎沸き上げ目標温度を沸き上げ目標温度Ｔｓとして決定し、実績記憶部４２が実績ありを記憶している、かつ大負荷記憶部４５が大負荷である旨を記憶していない場合は、給湯負荷を加味した上で基礎沸き上げ目標温度Ｔｓより高い第１規定温度（ここでは、第１の所定温度α（ここでは５℃）を基礎沸き上げ目標温度Ｔｓに加算した温度）を沸き上げ目標温度として決定し、実績記憶部４２が実績ありを記憶している、かつ大負荷記憶部４５が大負荷である旨を記憶している場合は、給湯負荷を加味した上で第１規定温度より高い第２規定温度（基礎沸き上げ目標温度Ｔｓに第１の所定温度α（ここでは５℃）と第２の所定温度β（ここでは３℃）を加算した温度）を沸き上げ目標温度として決定するようにしている。
【００５１】
また、リモートコントローラ３５の追焚きスイッチ３９がオンされると、制御手段４１は、ふろ加熱要求ありとしてふろ設定温度まで加熱する追焚き運転を行うようにしており、保温運転あるいは追焚き運転によってふろ加熱要求が発生すると、ふろ循環ポンプ１６を駆動開始し、浴槽水をふろ熱交換器１４に循環させて、貯湯タンク１内の貯湯熱によって浴槽水を加熱するふろ加熱動作を開始すると共に、実績記憶部４２はふろ加熱実績ありを記憶する。
【００５２】
このふろ加熱動作中に、ふろ戻り温度センサ１７で検出するふろ戻り温度とふろ設定温度との差が所定温度差（ここでは５℃）以上あるかどうかを判定し、所定温度差以上であると、大負荷記憶部４５は大負荷であった旨を記憶する。そして、ふろ戻り温度センサ１７がふろ設定温度以上を検出すると、ふろ循環ポンプ１６を駆動停止してふろ加熱動作を終了する。
【００５３】
ここで、ふろ加熱動作が終了する前に、貯湯温度センサ２２で検出する貯湯熱量が担保熱量未満まで減少すると、ここでは貯湯温度センサ２２ｃが担保温度（ここでは５０℃）未満を検出すると、貯湯熱量が担保熱量未満まで減少したと見なして、ヒートポンプ式加熱装置２９を駆動開始しして所定熱量または所定時間の沸き上げを行う沸き増し運転を行う。なお、この沸き増し運転は、ふろ加熱動作の開始や停止に関係なく、貯湯熱量が担保熱量未満を検出した時点で開始されるようにしているものである。
【００５４】
次に、ふろ加熱実績記憶手段４３の作動について、図４に示すフローチャートに基づいて説明する。
ふろ加熱実績記憶手段４３は１回のふろ加熱動作における必要熱量が所定熱量以上である大負荷であるかどうかを常に監視しており、ふろ加熱要求が発生してその回の１回のふろ加熱動作における必要熱量が所定熱量以上であると判定すると（ステップＳ２１でＹｅｓ）、大負荷記憶部４５に大負荷であった旨を記憶させる（ステップＳ２２）。
【００５５】
そして、ふろ加熱実績記憶手段４３は、沸き上げモード設定スイッチ４０で設定されている沸き上げモードが少なめモードであると（ステップＳ２３で少なめ）、大負荷の記憶を継続する所定の保持期間を当日のみに設定し（ステップＳ２４）、一方、沸き上げモードが多めモードであると（ステップＳ２３で多め）、大負荷の記憶を継続する所定の保持期間を３日間に設定し（ステップＳ２５）、保持期間のカウントをカウントする。
【００５６】
次に、ふろ加熱実績記憶手段４３は、保持期間のカウントがステップＳ２４またはステップＳ２５で設定した期間を経過したかどうかを判別し（ステップＳ２６）、保持期間が経過していなければ（ステップＳ２６でＮｏ）、ステップＳ２１へ戻り、再度１回のふろ加熱動作における必要熱量が所定熱量以上である大負荷であるかどうかを監視する。
【００５７】
ふろ加熱要求があっても１回のふろ加熱動作における必要熱量が所定熱量以上である大負荷でなければ（ステップＳ２１でＮｏ）、ステップＳ２７へ進み、大負荷記憶部４５で大負荷の記憶があるか否かを判別し、ここでは、大負荷の記憶ありなのでステップＳ２７でＹｅｓとなって、ステップＳ２６へ進んで保持期間の経過を判別する。
【００５８】
保持期間が経過する前に再度ふろ加熱要求が発生して１回のふろ加熱動作における必要熱量が所定熱量以上である大負荷であると判定すると（ステップＳ２１でＹｅｓ）、ふろ加熱実績記憶手段４３は、大負荷記憶部４５に大負荷の旨を改めて記憶させ（ステップＳ２２）、沸き上げモードに応じた所定の保持期間を設定し直す（ステップＳ２３からステップＳ２４またはステップＳ２５）。
【００５９】
そして、ふろ加熱要求が発生しないまま所定の保持期間が経過するか、ふろ加熱要求が発生しても１回のふろ加熱動作における必要熱量が所定熱量以上である大負荷でなければ（ステップＳ２６でＹｅｓ）、ふろ加熱実績記憶手段４３は、大負荷記憶部４５の記憶内容をクリアし（ステップＳ２８）、再度ステップＳ２１へ戻り、１回のふろ加熱動作における必要熱量が所定熱量以上である大負荷であるかどうかを監視するようにしている。
【００６０】
次に、電力料金単価の安価な深夜の沸き上げ動作について、図５のフローチャートに基づいて説明する。現在時刻が２３時になると（ステップＳ３１でＹｅｓ）、沸き上げ温度決定手段４２は給湯熱量積算手段４６で記憶している当日の給湯熱量と、沸き上げモードとから基礎沸き上げ目標温度Ｔｓを算出する（ステップＳ３２）。ここでは、給湯熱量に沸き上げモードに応じた余裕分を加算した値を貯湯タンク１の容量で除した値に給水温度を加算して基礎沸き上げ目標温度Ｔｓを算出している。
【００６１】
次に、沸き上げ温度決定手段４２は、実績記憶部４２がふろ加熱実績ありを記憶しているか否かを判別し、実績ありを記憶していれば（ステップＳ３３でＹｅｓ）、大負荷記憶部４５が大負荷であったことを記憶しているか否かを判別し、大負荷であった旨を記憶していれば（ステップＳ３４でＹｅｓ）、ステップＳ３２で算出した基礎沸き上げ目標温度Ｔｓの値に第１の所定温度αと第２の所定温度βを加算した値を沸き上げ目標温度として決定する（ステップＳ３５）。
【００６２】
一方、ステップＳ３３で、実績記憶部４２がふろ加熱実績ありを記憶していなければ、ステップＳ３２で算出した基礎沸き上げ目標温度Ｔｓの値を沸き上げ目標温度として決定する（ステップＳ３６）。また、ステップＳ３４で、大負荷であった旨が記憶されていない場合は、ステップＳ３２で算出した基礎沸き上げ目標温度Ｔｓの値に第１の所定温度αのみを加算した値を沸き上げ目標温度として決定する（ステップＳ３７）。
【００６３】
そして、制御手段４１は、給湯熱量に沸き上げモードに応じた余裕分を加算した値をヒートポンプ式加熱装置２９の定格加熱能力で除して、翌日に必要な貯湯熱量を沸き上げるのに必要な時間を算出し、この時間を深夜時間帯の終了時刻である７時から逆算して沸き上げ開始する時刻（ピークシフト時刻）を算出する（ステップＳ３８）。
【００６４】
次に、現在時刻がピークシフト時刻となると（ステップＳ３９でＹｅｓ）、前記ステップＳ３５、ステップＳ３６またはステップＳ３７の何れかのステップで決定した沸き上げ目標温度での沸き上げ動作を開始すべく、ヒートポンプ式加熱装置２９を駆動開始する（ステップＳ４０）。
【００６５】
そして、貯湯温度センサ２２ｅまたは入水温度センサ３２がそれぞれ規定の温度以上を検出して貯湯タンク１が満タンになるか（ステップＳ４１でＹｅｓ）、現在時刻が深夜時間帯の終了時刻である７時に到達すると（ステップＳ４２でＹｅｓ）、ヒートポンプ式加熱装置２９を駆動停止して沸き上げ動作を終了する（ステップＳ４３）。
【００６６】
このように、大負荷のふろ加熱動作が行われず、保温動作のような昇温幅の小さなふろ加熱動作しか行われない場合には、貯湯タンク１に沸き上げる湯の沸き上げ目標温度をふろ加熱実績がない時の基礎沸き上げ目標温度より高い第１規定温度として必要最小限に抑えてむやみに上げてしまうことがなく、必要なふろ加熱能力を確保することができると共に、貯湯タンク１内の湯が使われることなく余る湯余りの発生を抑制することができ、さらには、ヒートポンプ式加熱装置２９での加熱効率の悪化を防止することができる。
【００６７】
冷めた浴槽水の沸かし直し等の短時間に大きな加熱能力が求められる大負荷のふろ加熱動作が行われた場合は、保温動作のような昇温幅の小さなふろ加熱動作しか行われない場合に比べて貯湯タンク１に沸き上げる湯の沸き上げ目標温度を第１規定温度より高い第２規定温度まで高めるようにしているため、大負荷のふろ加熱動作を頻繁に利用する場合は、大きな加熱能力でふろ加熱動作を行え、短時間にふろ加熱動作を完了させることができ、使用感を向上させることができる。
【００６８】
また、ふろ加熱動作が全く行われなかった場合には、給湯負荷に応じた基礎沸き上げ目標温度を沸き上げ目標温度として低めの温度とするので、ヒートポンプ式加熱装置２９での加熱効率を向上させることができると共に、湯余りの発生を抑制できる。
【００６９】
そして、冷めた浴槽水の沸かし直し等の短時間に大きな加熱能力が求められる大負荷のふろ加熱動作が行われた場合は、貯湯タンクに沸き上げる湯の沸き上げ目標温度をさらに高い第２規定温度にするようにしていると共に、沸き上げモードが多めモードの時には、第２規定温度を維持する所定の保持期間を少なめモード時よりも長期間としているので、大きな加熱能力でふろ加熱動作を行え短時間に大負荷のふろ加熱動作を完了させることができる状態が長く継続して、使用感を向上させることができ、一方、沸き上げモードが少なめモードの時には、沸き上げ目標温度を第２規定温度を維持する所定の保持期間を多めモード時よりも短期間としているので、大負荷のふろ加熱動作を頻繁に行わなければ沸き上げ目標温度が短期間で低下して、湯余りの発生を抑制してエネルギー効率を向上させることができる。また、沸き上げ目標温度が低下することでヒートポンプ式加熱装置２９での加熱効率が向上し、さらなるエネルギー効率の向上を図ることができる。
【００７０】
なお、本発明は上記の実施形態に限定されるものではなく、例えば、ふろ熱交換器１４をプレート式熱交換器等の一次流路と二次流路とを有した構成として貯湯タンク１の外部に設け、貯湯タンク１から取り出した湯水をふろ熱交換器の一次流路に流通させ、浴槽水をふろ熱交換器の二次流路に流通させるようにしてもよい。
【００７１】
また、貯湯タンク１内の湯水を沸き上げる加熱手段としてヒートポンプ式加熱装置２９を例示して説明したが、これに限らず、例えば貯湯タンク１内に電熱ヒータを配置した構成の加熱手段としてもよい。
【００７２】
また、給湯負荷に応じて基礎沸き上げ目標温度を決めるにあたり、給湯負荷を外気温度から類推した構成と、実際に給湯した熱量を計測する構成を例示して説明したが、これに限らず、例えば、１日のヒートポンプ式加熱装置２９による加熱熱量の積算値から深夜時間帯の開始時刻での貯湯熱量を減算して求めた給湯熱量から基礎沸き上げ目標温度を決めたりしてもよい。
【００７３】
また、第２実施形態において、１回のふろ加熱動作における必要熱量が所定熱量以上である大負荷であったことを、ふろ戻り温度センサ１７で検出するふろ戻り温度とふろ設定温度との差が所定温度差（ここでは５℃）以上あるかどうかで判別するようにしているが、これに限らず、例えば、ふろ戻り温度センサ１７で検出するふろ加熱動作開始時の浴槽水温度が所定戻り温度以下であると大負荷であると判定するようにしたり、ふろ設定温度とふろ戻り温度と浴槽内の湯量とから算出した熱量が所定熱量以上であると大負荷であると判定するようにしたり、ふろ加熱動作に寄与可能な貯湯熱量が所定値以上ある状態で、ふろ加熱動作開始後のふろ往き温度センサ１８で検出するふろ往き温度が所定往き温度以下であったり、ふろ加熱動作の継続時間が所定時間以上となると大負荷であると判定するようにしたり、ふろ加熱動作時のふろ加熱能力を算出して算出したふろ加熱能力が所定能力以上であると大負荷であると判定するしてもよいものである。
【００７４】
また、第２実施形態では、実績記憶部４２がふろ加熱実績を記憶する所定期間を固定期間としていたが、第１実施形態と同じように沸き上げモードに応じて変更するようにしてもよく、その場合、大負荷記憶部４５が大負荷である旨を記憶する所定の保持期間よりもそれぞれの沸き上げモードにおいて長期間となるようにすることが望ましいものである。
【符号の説明】
【００７５】
１  貯湯タンク
１３  浴槽
１４  ふろ熱交換器
１５  ふろ循環回路
２９  ヒートポンプ式加熱装置（加熱手段）
４０  沸き上げモード設定スイッチ（沸き上げモード設定手段）
４２  実績記憶部
４３  ふろ加熱実績記憶手段
４４  沸き上げ温度決定手段
４５  大負荷記憶部
【図１】
0005567519.tif 000002
【図２】
0005567519.tif 000003
【図３】
0005567519.tif 000004
【図４】
0005567519.tif 000005
【図５】
0005567519.tif 000006